(57)【要約】【課題】簡単に実装設置でき、便器の水電管路を隠して美観の効果が得られる便器構造を提供する。【解決手段】表面において、適当な位置に接合部と第１と第２の貫通孔が設けられる支持ユニットと、それぞれ、該第１と第２の貫通孔に貫設された第１と第２の給水管が連通される貯水ユニットと、接合部に対応して組み合わせるための対接部が設けれ、また、第１の給水管が連通される便器と、便器の表面上に設置され、また、第２の給水管が連通される制御ユニットと、可動的に制御ユニットの一端縁に設置され、制御ユニットと電気的に接続された伝熱部が設けられる座りパッドと、座りパッド上に覆うように設けられ、一端が可動的に制御ユニットの表面上に設けられ、制御ユニットと電気的に接続されるセンサーが設けられる上蓋とが含有される。【選択図】  図２
0003139741.tif 000002
【実用新案登録請求の範囲】
【請求項１】
一面において、適当な位置に接合部が設けられ、該接合部の近くに、第１の貫通孔と第２の貫通孔が設けられる支持ユニットと、
それぞれ、該第１の貫通孔と該第２の貫通孔に貫設された第１の給水管と第２の給水管が連通される貯水ユニットと、
一端に、上記の接合部に対応して組み合わせるための対接部が設けられ、また、該貯水ユニットの第１の給水管が連通される便器と、
上記の便器の一端面に設置され、また、該貯水ユニットの第２の給水管が連通される制御ユニットと、
可動的に、上記の制御ユニットの一端縁に設けられ、また、該制御ユニットと電気的に接続された伝熱部が設けられる座りパッドと、
上記の座りパッド上に覆うように設けられ、一端が可動的に該制御ユニットの一面に設けられ、該制御ユニットと電気的に接続されるセンサーが設けられる上蓋が含有されることを特徴とする、便器構造。
【請求項２】
該支持ユニットが、装飾壁面であることを特徴とする、請求項１に記載の便器構造。
【請求項３】
該支持ユニットに、制御弁が設置されることを特徴とする、請求項１に記載の便器構造。
【請求項４】
該貯水ユニットにステーがあり、該ステー上に貯水タンクがあり、該貯水タンクに該第１の給水管と該第２の給水管が連通されることを特徴とする、請求項１に記載の便器構造。
【請求項５】
該制御ユニットに、少なくとも、制御パネルと該制御パネルと電気的に接続される加熱器、該制御パネルと電気的に接続されて該制御ユニットの底部に設けられる洗浄ノズル、該制御パネルと電気的に接続されて該制御ユニットの端面に設けられるインダクタ、該制御パネルと電気的に接続される伝達部及び該制御パネルと電気的に接続される電源部が含有されることを特徴とする、請求項１に記載の便器構造。
【考案の詳細な説明】
【技術分野】
【０００１】
本考案は、便器構造に関し、特に、実装設置が簡単で、便器の水電管路を隠すことにより、美観の効果が得られるものに関する。
【背景技術】
【０００２】
一般の従来の便器は、座りパッドと蓋体を有する便器本体と該便器本体と連通された貯水タンクとから構成され、実装する時、セメント工事により便器本体を浴室やトイレの地面に設置され、また、該便器本体と排出管とを連通し、その後、該貯水タンクと給水システムとを連接し、これにより、ユーザーが使用後、該貯水タンク上の制御弁を制御することにより、貯水タンク内の水が便器本体の中に灌注されて、排泄物が排出管を介して屎尿浄化槽の中に排出され、排泄物を処理する。
【０００３】
上記の従来の便器は、排泄物を処理する効果が得られるが、該便器本体が、実装時、セメント工事方式により浴室やトイレの地面に設置されるため、実装設置する時、不便であり、また、便器本体を交換する時、取り外す工事と実装工事を行わなければならなく、また、寒い時、該座りパッドも冷たくなり、冷たい座りパッドを座ると不快になる。
【０００４】
そのため、関係業者により「痔なし便器」が開発され、それは、便器本体と該便器本体と連通する貯水タンク、加熱と洗浄ユニットを有する座りパッド及び蓋体から構成され、実装する時、セメント工事方式により、便器本体を浴室やトイレの地面に設置され、また、該便器本体に排出管が連通され、その後、該貯水タンクと洗浄ユニットに給水システムが連接され、これにより、ユーザーが使用する前、座りパッドを加熱し、使用後、加熱ユニットを駆動して洗浄ユニットに合わせて温水を噴出して洗浄し、その後、該貯水タンク上の制御弁により、貯水タンク内の水が、便器本体の中に灌注されて、排泄物が排出管を介して屎尿浄化槽の中に排出され、排泄物を処理する。
【０００５】
上記の「痔なし便器」により、従来の便器の使用する時の不快感を解消できるが、該便器本体を実装する時、セメント工事方式により浴室やトイレの地面に設置されるため、実装設置に不便であり、また、便器本体を交換する時、取り外す工事と実装工事を行わなければならなく、そして、該加熱ユニットと洗浄ユニットを設置する時、その水電管路が外部に露出するため、美観性が悪いだけでなく、便器を洗浄する時、水蒸気や清潔剤により電線管路が侵食されて、故障や短絡になる恐れがある。
【考案の開示】
【考案が解決しようとする課題】
【０００６】
本考案の主な目的は、水蒸気や清潔剤により、電線管路が侵食されて、故障や短絡になる恐れがある問題点を解消でき、実装設置が簡単で、便器の水電管路を隠すことにより、美観の効果が得られる便器構造を提供する。
【課題を解決するための手段】
【０００７】
請求項１の考案は、一面において、適当な位置に接合部が設けられ、該接合部の近くに、第１の貫通孔と第２の貫通孔が設けられる支持ユニットと、それぞれ、該第１の貫通孔と該第２の貫通孔に貫設された第１の給水管と第２の給水管が連通される貯水ユニットと、一端に、上記の接合部に対応して組み合わせるための対接部が設けられ、また、該貯水ユニットの第１の給水管が連通される便器と、上記の便器の一端面に設置され、また、該貯水ユニットの第２の給水管が連通される制御ユニットと、可動的に上記の制御ユニットの一端縁に設けられ、また、該制御ユニットと電気的に接続された伝熱部が設けられる座りパッドと、上記の座りパッド上に覆うように設けられ、一端が可動的に該制御ユニットの一面に設けられ、該制御ユニットと電気的に接続されるセンサーが設けられる上蓋が含有されることを特徴とする便器構造である。
【０００８】
請求項２の考案は、該支持ユニットが装飾壁面であることを特徴とする、請求項１に記載の便器構造である。
【０００９】
請求項３の考案は、該支持ユニットに制御弁が設置されることを特徴とする、請求項１に記載の便器構造である。
【００１０】
請求項４の考案は、該貯水ユニットにステーがあり、該ステー上に貯水タンクがあり、該貯水タンクに該第１の給水管と該第２の給水管が連通されることを特徴とする、請求項１に記載の便器構造である。
【００１１】
請求項５の考案は、該制御ユニットに、少なくとも、制御パネルと該制御パネルと電気的に接続される加熱器、該制御パネルと電気的に接続されて該制御ユニットの底部に設けられる洗浄ノズル、該制御パネルと電気的に接続されて該制御ユニットの端面に設けられるインダクタ、該制御パネルと電気的に接続される伝達部及び該制御パネルと電気的に接続される電源部が含有されることを特徴とする、請求項１に記載の便器構造である。
【考案を実施するための最良の形態】
【００１２】
図１と図２は、それぞれ、本考案の立体外観概念図と本考案の立体分解概念図である。本考案は、図のように便器構造であり、少なくとも、支持ユニット１と貯水ユニット８、便器２、制御ユニット３、座りパッド４及び上蓋５から構成され、実装設置が簡単で、便器の水電管路を隠すことにより美観の効果が得られる。
【００１３】
上記の支持ユニット１は、一面において、適当な位置に接合部１１が設けられ、該接合部１１の近くに、第１と第２の貫通孔１２、１３が設けられ、該支持ユニット１は、装飾壁面であっても良い。
【００１４】
該貯水ユニット８は、それぞれ、該第１と第２の貫通孔１２、１３に貫設された第１と第２の給水管８１、８２が連通され、また、ステー８３があり、該ステー８３は、上に貯水タンク８４があり、また、該貯水タンク８４は、該第１と第２の給水管８１、８２が連通される。
【００１５】
該便器２は、一端に上記の接合部１１に対応して組合わせるための対接部２１が設けられ、また、該貯水ユニット８の第１の給水管８１が連通される。
【００１６】
該制御ユニット３は、上記の便器２の一端面に設置され、また、少なくとも、制御パネル３１と、該制御パネル３１に電気的に接続された加熱器３２と、該制御パネル３１に電気的に接続されて該制御ユニット３の底部に設置される洗浄ノズル３３と、該制御パネル３１に電気的に接続されて該制御ユニット３の端面に設置されるインダクタ３４と、該制御パネル３１に電気的に接続された伝達部３５と、該制御パネル３１に電気的に接続された電源部３６が含有され、該洗浄ノズル３３は、該貯水ユニット８の第２の給水管８２が連通され、該電源部３６は、必要に応じて該第１か第２の貫通孔１２、１３に貫設されて良い。
【００１７】
該座りパッド４は、可動的に上記の制御ユニット３の一端縁に設置され、また、該制御ユニット３の加熱器３２に電気的に接続された伝熱部４１がある。
【００１８】
該上蓋５は、上記座りパッド４上に覆うように設けられ、一端が可動的に該制御ユニット３の一面に設けられ、該伝達部３５が連接され、また、該制御ユニット３に電気的に接続されたセンサー５１がある。上記の構造により、新規の便器構造が構成される。
【００１９】
図３、図４及び図５は、それぞれ、本考案の実装状態概念図と本考案の実装終了概念図及び本考案の使用状態断面概念図である。本考案は、図のように、実装する時、支持ユニット１を浴室やトイレの壁面６に設置し、また、便器２の排泄管２２を該支持ユニット１の第２の貫通孔１３に貫設し、屎尿浄化槽７に連通させ、また、制御ユニット３の電源部３６を外部の電源ソケット６１に挿し込み、また、該支持ユニット１が可動的に該壁面６に設置され（図に未表示）、これにより、その後の移動やメンテナンスが簡単になり、その後、該便器２の一端に位置する対接部２１を該支持ユニット１上の接合部１１に対応して組み合わせ、該便器２と該支持ユニット１とを組み合わせる時、該便器２の底面と地面との間に隙間がある状態であり、また、第１の給水管８１は、インダクタ３４によって給水するかが制御され、該支持ユニット１は上に貯水ユニット８の該第１の給水管８１に連接された制御弁８５が設置され、また、該制御ユニット３の洗浄ノズル３３と該第２の給水管８２とが連通され、これにより、該便器２と該制御ユニット３を、該屎尿浄化槽７と該貯水ユニット８及び該電源ソケット６１に連接するための水電管路が、該支持ユニット１の後方に隠されて簡単に実装設置でき、また、美観の効果が得られる。
【００２０】
ユーザーが該便器２に使用するため近付くと、一上蓋５上のセンサー５１により、所定の距離内に位置する人を感知して伝達部３５を駆動することにより、該上蓋５が自動的に開き、この時、該ユーザーが制御パネル３１で加熱器３２を設定でき、これにより、該第２の給水管８２を介して該座りパッド４内の伝熱部４１の温度を制御して、該座りパッド４が所定の温度になり、そのため、該ユーザーは座る時、快適な感じが得られ、また、使用後、該制御パネル３１で該洗浄ノズル３３を駆動すると、該洗浄ノズル３３が所定の温度である水を噴出して、該ユーザーに対して洗浄する。
【００２１】
また、該ユーザーは、該制御パネル３１により、自動か手動で水を灌注することを設定でき、自動に水を灌注することに設定する場合、該ユーザーが該座りパッド４から離れると、該インダクタ３４により、該第１の給水管８１を制御して該便器２の給水管２３から給水し、排泄物を該排泄管２２から該屎尿浄化槽７へ排出し、手動に水を灌注することに設定する場合、該ユーザーが該制御弁８５を押圧することにより、該第１の給水管８１が該便器２の給水管２３から給水し、排泄物を該排泄管２２から該屎尿浄化槽７へ排出し、該便器２を洗浄する。
【００２２】
以上の説明のように、本考案に係わる便器構造は、有効に従来の諸欠点を改善でき、例えば、便器の水電管路を隠して簡単に実装設置でき、そして、美観の効果が得られるため、本考案はより進歩的且つより実用的であり、法に従って実用新案登録請求を出願する。
【００２３】
以上は、ただ、本考案のより良い実施例であり、本考案はそれによって制限されることが無く、本考案に係わる実用新案登録請求の範囲や明細書の内容に基づいて行った等価の変更や修正は、全てが本考案の実用新案登録請求の範囲内に含まれる。
【図面の簡単な説明】
【００２４】
【図１】本考案の立体外観概念図
【図２】本考案の立体分解概念図
【図３】本考案の第１の実装状態概念図
【図４】本考案の第２の実装状態概念図
【図５】本考案の使用状態断面概念図
【符号の説明】
【００２５】
１          支持ユニット
１１        接合部
１２        第１の貫通孔
１３        第２の貫通孔
２          便器
２１        対接部
２２        排泄管
２３        給水管
３          制御ユニット
３１        制御パネル
３２        加熱器
３３        洗浄ノズル
３４        インダクタ
３５        伝達部
３６        電源部
４          座りパッド
４１        伝熱部
５          上蓋
５１        センサー
６          壁面
６１        電源ソケット
７          屎尿浄化槽
８          貯水ユニット
８１        第１の給水管
８２        第２の給水管
８３        ステー
８４        貯水タンク
８５        制御弁
【図１】
0003139741.tif 000003
【図２】
0003139741.tif 000004
【図３】
0003139741.tif 000005
【図４】
0003139741.tif 000006
【図５】
0003139741.tif 000007